(57)【要約】【課題】大量のアイテムの中から所望のアイテムを容易に選択することができるようにする。【解決手段】表示部と、操作部を構成し、回転自在に配設されたロータリセレクタと、所定の項目を検索する検索処理手段と、検索結果に含まれるアイテムを前記表示部の画面にリストで表示するとともに、前記ロータリセレクタの回転に対応させて、前記リストにおける所定のアイテムを選択候補アイテムとして表示する表示処理手段と、検索結果に含まれるすべてのアイテムの数を表すアイテム総数に基づいて、前記選択候補アイテムを変更するために必要なロータリセレクタの単位変位角を調整する単位変位角調整処理手段とを有する。アイテム総数に基づいて単位変位角が調整されるので、所望のアイテムを容易に選択することができる。【選択図】図１
2009129331.tif 000002
【特許請求の範囲】
【請求項１】
表示部と、操作部を構成し、回転自在に配設されたロータリセレクタと、所定の項目を検索する検索処理手段と、検索結果に含まれるアイテムを前記表示部の画面にリストで表示するとともに、前記ロータリセレクタの回転に対応させて、前記リストにおける所定のアイテムを選択候補アイテムとして表示する表示処理手段と、検索結果に含まれるすべてのアイテムの数を表すアイテム総数に基づいて、前記選択候補アイテムを変更するために必要なロータリセレクタの単位変位角を調整する単位変位角調整処理手段とを有することを特徴とするアイテム選択システム。
【請求項２】
前記単位変位角調整処理手段は、アイテム総数が第１の閾値未満である場合、単位変位角をあらかじめ設定された値とする請求項１に記載のアイテム選択システム。
【請求項３】
前記単位変位角調整処理手段は、アイテム総数が第１の閾値以上である場合、単位変位角をアイテム総数に基づいて算出する請求項１に記載のアイテム選択システム。
【請求項４】
前記単位変位角調整処理手段は、アイテム総数が第１の閾値より大きい第２の閾値以上である場合、単位変位角を第２の閾値に基づいて算出する請求項２に記載のアイテム選択システム。
【請求項５】
表示部、及び操作部を構成し、回転自在に配設されたロータリセレクタを有するアイテム選択システムのプログラムにおいて、コンピュータを、所定の項目を検索する検索処理手段、検索結果に含まれるアイテムを前記表示部の画面にリストで表示するとともに、前記ロータリセレクタの回転に対応させて、前記リストにおける所定のアイテムを選択候補アイテムとして表示する表示処理手段、及び検索結果に含まれるすべてのアイテムの数を表すアイテム総数に基づいて、前記選択候補アイテムを変更するために必要なロータリセレクタの単位変位角を調整する単位変位角調整処理手段として機能させることを特徴とするプログラム。
【発明の詳細な説明】
【技術分野】
【０００１】
本発明は、アイテム選択システム及びプログラムに関するものである。
【背景技術】
【０００２】
従来、電子機器、例えば、車両に搭載されるナビゲーション装置においては、ナビゲーション装置に対して所定の項目について、指示を行ったり、各種の設定を行ったりすることができるようになっている。そのために、ナビゲーション装置に表示部、操作部等が配設され、運転者による操作部の操作に基づいて、前記項目の検索が行われ、前記表示部の画面に、検索結果を表す複数のアイテムがリストで表示される。したがって、運転者は、表示されたアイテムのうちの所定のアイテムを選択することができる。
【０００３】
ところで、検索結果に含まれるアイテムが多く、一画面にすべてのアイテムを表示することができない場合、運転者はリストをスクロールし、所望のアイテムが画面に表示されたときに、アイテムを選択することができるようになっている。
【０００４】
そして、前記リストをスクロールするために、ロータリセレクタを備えたナビゲーション装置が提供されている。この種のナビゲーション装置においては、運転者がロータリセレクタを回転させると、回転させた角度に応じてリストがスクロールされ、所定のアイテムの文字の色が反転させられる等して選択候補アイテムとして表示される。続いて、運転者が、決定ボタン等を押すと、選択候補アイテムが、運転者によって選択されたアイテムとされる（例えば、特許文献１参照。）。
【特許文献１】特開平１１−３５１８９８号公報
【発明の開示】
【発明が解決しようとする課題】
【０００５】
しかしながら、前記従来のナビゲーション装置においては、選択候補アイテムを一つ隣のアイテムに変更するためにロータリセレクタを回転させる角度が一定にされるので、大量のアイテムの中から所望のアイテムを探す場合、操作が煩雑になってしまう。
【０００６】
本発明は、前記従来のナビゲーション装置の問題点を解決して、大量のアイテムの中から所望のアイテムを容易に選択することができるアイテム選択システム及びプログラムを提供することを目的とする。
【課題を解決するための手段】
【０００７】
そのために、本発明のアイテム選択システムにおいては、表示部と、操作部を構成し、回転自在に配設されたロータリセレクタと、所定の項目を検索する検索処理手段と、検索結果に含まれるアイテムを前記表示部の画面にリストで表示するとともに、前記ロータリセレクタの回転に対応させて、前記リストにおける所定のアイテムを選択候補アイテムとして表示する表示処理手段と、検索結果に含まれるすべてのアイテムの数を表すアイテム総数に基づいて、前記選択候補アイテムを変更するために必要なロータリセレクタの単位変位角を調整する単位変位角調整処理手段とを有する。
【発明の効果】
【０００８】
本発明によれば、ロータリセレクタの回転に対応させて、リストにおける所定のアイテムが選択候補アイテムとされ、アイテム総数に基づいて、選択候補アイテムを変更するために必要なロータリセレクタの単位変位角が調整されるようになっているので、大量のアイテムの中から所望のアイテムを容易に選択することができる。
【発明を実施するための最良の形態】
【０００９】
以下、本発明の実施の形態について図面を参照しながら詳細に説明する。なお、この場合、アイテム選択システムとしてのナビゲーションシステムについて説明する。
【００１０】
図１は本発明の実施の形態におけるナビゲーションシステムを示す図である。
【００１１】
図において、１４は情報端末としての、かつ、車両に搭載された装置である車載装置としてのナビゲーション装置、６３はネットワーク、５１は情報提供者としての情報センタであり、前記ナビゲーション装置１４、ネットワーク６３、情報センタ５１等によってナビゲーションシステムが構成される。
【００１２】
前記ナビゲーション装置１４は、車両の現在地を自車位置として、車両の方位を自車方位として検出する現在地検出部としてのＧＰＳセンサ１５、図示されない地図データのほかに各種の情報が記録された情報記録部としてのデータ記録部１６、ナビゲーション処理等の各種の演算処理を行うナビゲーション処理部１７、操作者である運転者が操作することによって所定の入力を行うための第１の入力部としての操作部３４、図示されない画面に表示された画像によって各種の表示を行い、運転者に通知するための第１の出力部としての表示部３５、運転者が音声によって所定の入力を行うための第２の入力部としての音声入力部３６、音声出力を行い、各種の情報を運転者に通知するための第２の出力部としての音声出力部３７、及び通信端末として機能する送受信部としての通信部３８を備え、前記ナビゲーション処理部１７に、ＧＰＳセンサ１５、データ記録部１６、操作部３４、表示部３５、音声入力部３６、音声出力部３７及び通信部３８が接続される。また、前記ナビゲーション処理部１７には車速を検出する車速検出部としての車速センサ４４等が接続される。そして、前記ＧＰＳセンサ１５は、自車位置及び自車方位のほかに時刻を検出する。なお、ＧＰＳセンサ１５とは独立させて方位センサを配設することによって自車方位を検出することができる。
【００１３】
前記データ記録部１６は、地図データファイルから成る地図データベースを備え、該地図データベースに地図データが記録される。該地図データには、交差点（分岐点）に関する交差点データ、ノードに関するノードデータ、道路リンクに関する道路データ、探索用に加工された探索データ、施設に関する施設データ等が含まれるほか、道路上の地物に関する地物データが含まれる。なお、前記地物は、運転者に各種の走行上の情報を提供したり、各種の走行上の案内を行ったりするために道路上に設置、又は形成された表示物であり、表示線、路上標識、横断歩道、マンホール、信号機等から成る。
【００１４】
そして、前記データ記録部１６は、前記各種のデータを記録するために、ハードディスク、ＣＤ、ＤＶＤ、光ディスク等の図示されないディスクを備えるほかに、各種のデータを読み出したり、書き込んだりするための読出・書込ヘッド等の図示されないヘッドを備える。また、前記データ記録部１６にメモリカード等を使用することができる。なお、前記各ディスク、メモリカード等によって第１の記憶装置としての外部記憶装置が構成される。
【００１５】
本実施の形態においては、前記データ記録部１６に、前記地図データベース等が形成されるようになっているが、情報センタ５１において、前記地図データベース等を形成することもできる。
【００１６】
そして、前記ナビゲーション処理部１７は、ナビゲーション装置１４の全体の制御を行う制御装置としての、かつ、演算装置としてのＣＰＵ３１、該ＣＰＵ３１が各種の演算処理を行うに当たってワーキングメモリとして使用されるＲＡＭ３２、制御用のプログラムのほか、目的地までの経路の探索、経路案内等を行うための各種のプログラムが記録されたＲＯＭ３３、各種のデータ、プログラム等を記録するために使用される図示されないフラッシュメモリ等を備える。なお、前記ＲＡＭ３２、ＲＯＭ３３、フラッシュメモリ等によって、第２の記憶装置としての内部記憶装置が構成される。
【００１７】
前記操作部３４として、表示部３５とは独立して配設された図示されないキーボード、マウス等を使用することができる。また、前記操作部３４として、前記表示部３５に形成された画面に画像で表示された各種のキー、スイッチ、ボタン等の画像操作部をタッチすることによって、所定の入力操作を行うことができるようにしたタッチパネルを使用することができる。
【００１８】
前記表示部３５としてディスプレイが使用され、表示部３５に形成された各種の画面に、前記自車位置及び自車方位を表示したり、地図、探索経路、該探索経路に沿った案内情報、交通情報等を表示したり、探索経路における次の交差点までの距離、次の交差点における進行方向を表示したりすることができる。
【００１９】
また、音声入力部３６は、図示されないマイクロホン等によって構成され、音声によって必要な情報を入力することができる。さらに、音声出力部３７は、図示されない音声合成装置及びスピーカを備え、音声出力部３７から、前記探索経路、案内情報、交通情報等が、例えば、音声合成装置によって合成された音声で出力される。
【００２０】
前記通信部３８は、道路交通情報センタから送信された現況の交通情報、一般情報等の各種の情報を受信するための図示されないビーコンレシーバ、前記各種の情報をＦＭ放送局を介してＦＭ多重放送として受信するための図示されないＦＭ受信機等を備える。そして、通信部３８は、前記情報センタ５１から、前記地図データ等のデータのほか、交通情報、一般情報等の各種の情報をネットワーク６３を介して受信することができる。
【００２１】
そのために、前記情報センタ５１は、サーバ５３、該サーバ５３に接続された通信部５７、情報記録部としてのデータベース（ＤＢ）５８等を備え、前記サーバ５３は、制御装置としての、かつ、演算装置としてのＣＰＵ５４、ＲＡＭ５５、ＲＯＭ５６等を備える。また、前記データベース５８に、前記データ記録部１６に記録された各種のデータと同様のデータが記録される。
【００２２】
なお、前記ナビゲーションシステム、ナビゲーション処理部１７、ＣＰＵ３１、５４、サーバ５３等は、単独で、又は二つ以上組み合わせることによってコンピュータとして機能し、各種のプログラム、データ等に基づいて演算処理を行う。また、前記データ記録部１６、ＲＡＭ３２、５５、ＲＯＭ３３、５６、データベース５８、フラッシュメモリ等によって記録媒体が構成される。そして、演算装置として、ＣＰＵ３１、５４に代えてＭＰＵ等を使用することもできる。
【００２３】
次に、前記構成のナビゲーションシステムの基本動作について説明する。
【００２４】
まず、運転者によって操作部３４が操作され、ナビゲーション装置１４が起動されると、ＣＰＵ３１の図示されない現在地読込処理手段は、現在地読込処理を行い、ＧＰＳセンサ１５によって検出された自車位置及び自車方位を読み込む。次に、前記ＣＰＵ３１の図示されないマッチング処理手段は、マッチング処理を行い、読み込まれた自車位置の軌跡、及び自車位置の周辺の道路を構成する各道路リンクの形状、配列等に基づいて、車両がいずれの道路リンク上に位置するかの判定を行うことによって、自車位置を特定する。
【００２５】
続いて、ＣＰＵ３１の図示されない基本情報取得処理手段は、基本情報取得処理を行い、前記地図データを、データ記録部１６から読み出して取得するか、又はネットワーク６３及び通信部３８を介して情報センタ５１等から受信して取得する。なお、地図データを情報センタ５１等から取得する場合、前記基本情報取得処理手段は、受信した地図データをフラッシュメモリにダウンロードする。
【００２６】
そして、前記ＣＰＵ３１の図示されない表示処理手段は、表示処理を行い、前記表示部３５に各種の画面を形成する。例えば、前記表示処理手段の地図表示処理手段は、地図表示処理を行い、表示部３５に地図画面を形成し、該地図画面に周囲の地図を表示するとともに、自車位置及び自車方位を表示する。
【００２７】
したがって、運転者は、前記地図、自車位置及び自車方位に従って車両を走行させることができる。
【００２８】
また、運転者が操作部３４を操作して目的地を入力すると、ＣＰＵ３１の図示されない目的地設定処理手段は、目的地設定処理を行い、目的地を設定する。なお、必要に応じて出発地を入力し、設定することもできる。また、あらかじめ所定の地点を登録しておき、登録された地点を目的地として設定することができる。続いて、運転者が操作部３４を操作して探索条件を入力すると、ＣＰＵ３１の図示されない探索条件設定処理手段は、探索条件設定処理を行い、探索条件を設定する。
【００２９】
このようにして目的地及び探索条件が設定されると、ＣＰＵ３１の図示されない経路探索処理手段は、経路探索処理を行い、前記自車位置、自車方位、目的地、探索条件等を読み込むとともに、データ記録部１６から探索データ等を読み出し、自車位置、自車方位、目的地、探索データ等に基づいて、自車位置で表される出発地から目的地までの経路を前記探索条件で探索し、探索経路を表す経路データを出力する。このとき、経路探索処理においては、各道路リンクごとに付与されたリンクコストの合計が最も小さい経路が探索経路とされる。なお、出発地を、自車位置に代えて、運転者が設定した所定の地点とし、所定の地点から目的地までの経路を探索することもできる。
【００３０】
また、前記情報センタ５１において経路探索処理を行うことができる。その場合、ＣＰＵ３１は自車位置、自車方位、目的地、探索条件等をネットワーク６３を介して情報センタ５１に送信する。該情報センタ５１が自車位置、自車方位、目的地、探索条件等を受信すると、ＣＰＵ５４の図示されない経路探索処理手段は、ＣＰＵ３１と同様の経路探索処理を行い、データベース５８から探索データ等を読み出し、自車位置、目的地及び探索データに基づいて、出発地から目的地までの経路を前記探索条件で探索し、探索経路を表す経路データを出力する。次に、ＣＰＵ５４の図示されない送信処理手段は、送信処理を行い、前記経路データをネットワーク６３を介してナビゲーション装置１４に送信する。
【００３１】
続いて、前記ＣＰＵ３１の図示されない案内処理手段は、案内処理を行い、経路案内を行う。そのために、前記案内処理手段の案内表示処理手段は、案内表示処理を行い、前記経路データを読み込み、該経路データに基づいて前記地図画面に探索経路を表示する。
【００３２】
なお、例えば、経路案内の対象となる地点である交差点で車両を右左折させる必要がある場合、前記交差点が、車両を進行させる方向の案内を行う対象となる案内交差点として設定され、該案内交差点に車両が到達する前に、音声を出力することによって経路案内が行われるようになっている。
【００３３】
また、前記案内処理手段の案内地点拡大図形成処理手段は、案内地点拡大図形成処理を行い、車両が案内交差点に到達する前に、地図画面の所定の領域に案内交差点の拡大図、すなわち、案内地点拡大図としての交差点拡大図を形成し、交差点拡大図による経路案内を行う。そのために、探索経路上の前記案内交差点より手前（自車位置側）の、設定された距離だけ離れた箇所に車両が到達すると、前記交差点拡大図が表示される。この場合、該交差点拡大図に、案内交差点の周辺の地図、探索経路、案内交差点において目印になる施設等の陸標が表示される。
【００３４】
ところで、前記構成のナビゲーション装置１４に対して所定の指示を行ったり、各種の設定を行ったりすることができるようになっている。そのために、本実施の形態においては、前記操作部３４にロータリセレクタが配設される。
【００３５】
図２は本発明の実施の形態における操作・表示部を示す図である。
【００３６】
図において、３４は操作部、３５は表示部、４１は前記表示部３５に配設された操作パネル、４３は表示部３５に配設されたディスプレイである。該ディスプレイ４３は、タッチパネルによって形成され、操作部３４の機能を併せ有する。
【００３７】
また、ｂｉ（ｉ＝１、２、…）は車両を走行させるに当たり、各種の機能を選択するためのボタンであり、所定のボタンを押下することによって、ナビゲーション装置１４の所定の機能を選択したり、オーディオ機器、エアコン等の付属機器の機能を選択したりすることができる。そして、ｖ１はオーディオ機器のボリューム調整ダイヤル、ｓ１はロータリセレクタである。
【００３８】
この場合、ディスプレイ４３の画面には、目的地設定処理における目的地についての検索結果が表示されている。
【００３９】
すなわち、運転者が、操作部３４を操作して、検索の対象となる項目（検索対象）として目的地を選択し、目的地を、五十音による名称、住所、電話番号、施設の種別等の特定条件によって特定すると、前記目的地設定処理の検索処理手段は、検索処理を行い、特定された目的地を検索する。
【００４０】
そして、前記表示処理手段は、検索結果の目的地をアイテムとし、前記画面にリストＬｓで表示するとともに、該リストＬｓの横に、リストＬｓをスクロールするためのスクロールバー４５を表示する。該スクロールバー４５は、アップキー４６、ダウンキー４７及びバー４８を備える。
【００４１】
前記リストＬｓにおいては、すべてのアイテムのうちの、画面に表示することができる所定の数のアイテムｋｊ（ｊ＝１、２、…、５）がアイテムの番号と共に表示され、上端の領域ＡＲ１に、すべてのアイテムの数、すなわち、アイテム総数が表示される。
【００４２】
また、前記表示処理手段は、前記アイテムｋｊのうちの所定のアイテム、図２においてはアイテムｋ３の文字の色を反転させる等して選択候補アイテムとして表示する。そして、運転者がアップキー４６又はダウンキー４７をタッチすると、前記表示処理手段は、バー４８を上方又は下方に移動させ、バー４８の移動に対応させて選択候補アイテムを変更する。そして、運転者が、選択候補アイテムが所望のアイテムである場合に、画面の選択候補アイテムの部分をタッチすると、選択候補アイテムが、運転者によって選択されたアイテムとして決定される。この場合、画面の候補アイテムの部分は決定ボタンとして機能する。
【００４３】
前記画面に表示されたアイテムｋｊの中に所望のアイテムがない場合、運転者がアップキー４６又はダウンキー４７をタッチし続けると、前記表示処理手段は、リストＬｓをスクロールさせて上方又は下方に移動させる。なお、検索されたすべてのアイテムを一つの画面で表示することができる場合、運転者がアップキー４６又はダウンキー４７をタッチし続けても、リストＬｓはスクロールされない。
【００４４】
なお、ナビゲーション装置１４における目的地設定処理のほかの機能を選択したり、オーディオ機器、エアコン等の付属機器の機能を設定したりする場合には、目的地と同様に、各種の項目について検索が行われ、検索された項目が表示用のアイテムとされ、前記画面にリストで表示される。
【００４５】
ところで、本実施の形態においては、前記スクロールバー４５のほかに、選択候補アイテムを変更自在に表示することができるように、前記ロータリセレクタｓ１が回転自在に配設される。そして、運転者がロータリセレクタｓ１を摘んで回転させると、回転させた角度に応じて選択候補アイテムを変更したり、リストＬｓをスクロールしたりすることができる。
【００４６】
この場合、選択候補アイテムを一つ隣のアイテムに変更するためにロータリセレクタｓ１を回転させる必要のある角度を、単位変位角θとしたとき、該単位変位角θが一定にされていると、大量のアイテムの中から所望のアイテムを探す場合の操作が煩雑になってしまう。
【００４７】
そこで、本実施の形態において、ＣＰＵ３１の図示されない単位変位角調整処理手段は、単位変位角調整処理を行い、アイテム総数に応じて単位変位角θを調整するようにしている。
【００４８】
図３は本発明の実施の形態における単位変位角調整処理手段の動作を示すフローチャート、図４は本発明の実施の形態におけるロータリセレクタの回転角度の第１の例を示す図、図５は本発明の実施の形態における操作・表示部の第１の表示例を示す図、図６は本発明の実施の形態におけるロータリセレクタの回転角度の第２の例を示す図、図７は本発明の実施の形態における操作・表示部の第２の表示例を示す図、図８は本発明の実施の形態におけるロータリセレクタの回転角度の第３の例を示す図、図９は本発明の実施の形態における操作・表示部の第３の表示例を示す図である。
【００４９】
まず、前記単位変位角調整処理手段の情報取得処理手段は、情報取得処理を行い、アイテム検索処理の検索結果からアイテム総数Ｐを読み込む。
【００５０】
次に、前記単位変位角調整処理手段のアイテム総数判定処理手段は、アイテム総数判定処理を行い、アイテム総数Ｐが第１の閾値Ｎ未満であるかどうかを判断する。アイテム総数Ｐが第１の閾値Ｎ未満である場合、前記単位変位角調整処理手段の単位変位角設定処理手段は、単位変位角設定処理を行い、単位変位角θをあらかじめ設定された固定の値に設定する。
【００５１】
この場合、前記第１の閾値Ｎは、一つの画面で表示することができるアイテムの数をｆとすると、
Ｎ＝ｆ＋α
にされる。ただし、値αは、ｆ以下の整数とする。例えば、第１の閾値Ｎが１０に設定されると、アイテム総数Ｐが１０未満である場合、単位変位角θが固定の値、例えば、１０〔°〕に設定される。なお、いずれのアイテムを選択する場合においても、ロータリセレクタｓ１を３６０〔°〕以上回転させる必要がないように、第１の閾値Ｎ及び単位変位角θが設定される。
【００５２】
この場合、ロータリセレクタｓ１を１０〔°〕回転させるたびに、選択候補アイテムが１個変更される。したがって、図４及び５に示されるように、アイテム総数Ｐが４である場合、運転者がロータリセレクタｓ１を２０〔°〕回転させると、先頭から数えて２個目のアイテムが選択され、選択候補アイテムにされる。
【００５３】
また、アイテム総数Ｐが第１の閾値Ｎ個以上、かつ、第２の閾値Ｍ未満である場合、前記単位変位角設定処理手段は、単位変位角θをアイテム総数Ｐに応じて設定し、単位変位角θを、
θ＝３６０／Ｐ〔°〕
に設定する。なお、前記第２の閾値Ｍは第１の閾値Ｎより大きい値、５０にされる。この場合、単位変位角θは、３６０〔°〕をアイテム総数Ｐで除算することによって得られ、アイテム総数Ｐが第２の閾値Ｍに近い値になると、それだけ小さくなってしまう。そこで、前記第２の閾値Ｍは、運転者がロータリセレクタｓ１を単位変位角θだけ回転させたときに、回転させた角度を識別することができるように設定される。
【００５４】
この場合、ロータリセレクタｓ１を３６０／Ｐ〔°〕回転させるたびに、選択候補アイテムが１個変更される。したがって、アイテム総数Ｐが３０である場合、単位変位角θは１２〔°〕になり、図６及び７に示されるように、運転者がロータリセレクタｓ１を１８０〔°〕回転させると、すべてのアイテムのうちの真ん中のアイテム、すなわち、先頭から数えて１５個目のアイテムが選択され、選択候補アイテムにされる。また、運転者がロータリセレクタｓ１を３６０〔°〕回転させると、すべてのアイテムのうちの最後のアイテム、すなわち、先頭から数えて３０個目のアイテムが選択され、選択候補アイテムにされる。
【００５５】
ロータリセレクタｓ１を１８０〔°〕回転させると、すべてのアイテムのうちの真ん中のアイテムが選択され、ロータリセレクタｓ１を３６０〔°〕回転させると、すべてのアイテムのうちの最後のアイテムが選択されるので、運転者は、所望のアイテムの位置がほぼ分かっているときに、画面を見ることなく、所望のアイテム又は所望のアイテムの近傍のアイテムを選択することができる。
【００５６】
また、アイテム総数Ｐが第２の閾値Ｍ以上である場合、前記単位変位角設定処理手段は、単位変位角θを第２の閾値Ｍに応じて設定し、単位変位角θを、
θ＝３６０／Ｍ〔°〕
に設定する。
【００５７】
この場合、ロータリセレクタｓ１を３６０／Ｍ〔°〕回転させるたびに、選択候補アイテムが１個変更される。したがって、第２の閾値Ｍが５０であるので、単位変位角θは７．２〔°〕になり、図８及び９に示されるように、運転者がロータリセレクタｓ１を３６０〔°〕回転させると、すべてのアイテムのうちの、先頭から数えて５０個目のアイテムが選択され、選択候補アイテムになる。また、運転者がロータリセレクタｓ１を３６０×２〔°〕回転させると、すべてのアイテムのうちの、先頭から数えて１００個目のアイテムが選択され、選択候補アイテムになる。
【００５８】
ロータリセレクタｓ１を３６０〔°〕回転させるたびに、第２の閾値Ｍで表される値Ｍの倍数の最後のアイテムが選択されるので、運転者は、所望のアイテムの位置がほぼ分かっているときに、画面を見ることなく、所望のアイテム又は所望のアイテムの近傍のアイテムを選択することができる。
【００５９】
このように、本実施の形態においては、アイテム総数Ｐに応じて単位変位角θが設定され、アイテム総数Ｐが大きくなるほど、単位変位角θが小さくされるので、大量のアイテムの中から所望のアイテムを選択する場合においても、操作を簡素化することができる。
【００６０】
また、ロータリセレクタｓ１を３６０〔°〕回転させることによって、すべてのアイテムのうちの、運転者にとって記憶しやすい特定の値、本実施の形態においては、アイテム総数Ｐで表される値Ｐの最後のアイテム、又は第２の閾値Ｍで表される値Ｍの倍数の最後のアイテムが選択されるので、運転者は画面を見ることなく、所望のアイテム又は近傍のアイテムを選択することができる。したがって、ロータリセレクタｓ１の操作性を向上させることができる。
【００６１】
なお、ロータリセレクタｓ１を所定の角度、本実施の形態においては、３６０〔°〕回転させるたびに、回転に対してクリック感を持たせるようにすることによって、運転者はロータリセレクタｓ１をどの程度回転させたかの目安とすることができる。したがって、ロータリセレクタｓ１の操作性を向上させることができる。
【００６２】
次に、フローチャートについて説明する。
ステップＳ１  アイテムを読み込む。
ステップＳ２  アイテム総数Ｐが第１の閾値Ｎ未満であるかどうかを判断する。アイテム総数Ｐが第１の閾値Ｎ未満である場合はステップＳ３に、第１の閾値Ｎ以上である場合はステップＳ４に進む。
ステップＳ３  アイテム総数Ｐが第２の閾値Ｍ未満でかどうかを判断する。アイテム総数Ｐが第２の閾値Ｍ未満である場合はステップＳ５に、第２の閾値Ｍ以上である場合はステップＳ６に進む。
ステップＳ４  単位変位角を固定の値に設定する。
ステップＳ５  単位変位角を３６０／Ｐ〔°〕に設定する。
ステップＳ６  単位変位角を３６０／Ｍ〔°〕に設定する。
【００６３】
なお、本発明は前記実施の形態に限定されるものではなく、本発明の趣旨に基づいて種々変形させることが可能であり、それらを本発明の範囲から排除するものではない。
【図面の簡単な説明】
【００６４】
【図１】本発明の実施の形態におけるナビゲーションシステムを示す図である。
【図２】本発明の実施の形態における操作・表示部を示す図である。
【図３】本発明の実施の形態における単位変位角調整処理手段の動作を示すフローチャートである。
【図４】本発明の実施の形態におけるロータリセレクタの回転角度の第１の例を示す図である。
【図５】本発明の実施の形態における操作・表示部の第１の表示例を示す図である。
【図６】本発明の実施の形態におけるロータリセレクタの回転角度の第２の例を示す図である。
【図７】本発明の実施の形態における操作・表示部の第２の表示例を示す図である。
【図８】本発明の実施の形態におけるロータリセレクタの回転角度の第３の例を示す図である。
【図９】本発明の実施の形態における操作・表示部の第３の表示例を示す図である。
【符号の説明】
【００６５】
１４    ナビゲーション装置
３４    操作部
３５    表示部
５１    情報センタ
６３    ネットワーク
ｓ１    ロータリセレクタ
【図１】
2009129331.tif 000003
【図２】
2009129331.tif 000004
【図３】
2009129331.tif 000005
【図４】
2009129331.tif 000006
【図５】
2009129331.tif 000007
【図６】
2009129331.tif 000008
【図７】
2009129331.tif 000009
【図８】
2009129331.tif 000010
【図９】
2009129331.tif 000011